(57)【要約】【課題】如何に労苦無くして「読書」をするかが最大なポイントを持つことと、「読書」は、「目」を使う行為であるが、この発声装置システムを利用・使用することによって、目を使うための予防・保護になる。即ち「近視・乱視」の目の病の原因になることを防止し「読書の向上」を推進させ、「読書離れ」が解消するメリットが生まれる。そのための装置システムを提供することを目的とする。【解決手段】本３に記載された文字の上をなぞるか、滑らせて文字画像情報データを取得する本体部１と、本体部１によって取得された画像情報データに対応する認識文字情報データを予め記憶された文字情報データの中から出力し、認識文字情報データを音声データに変換する記憶認識制御部７ａと、該記憶認識制御部７ａから音声データが出力されて音声として発声再生する音声発生再生部７ｂとを内蔵した文字記憶認識発声装置７とを備えた。【選択図】  図１
2007128531.tif 000002
【特許請求の範囲】
【請求項１】
本・雑誌・新聞・印刷物・書き文字に記載された文字の上をなぞるか、滑らせて文字画像情報データを取得する画像データ入力装置と、前記画像データ入力装置によって取得された画像情報データに対応する認識文字情報データを予め記憶された文字情報データの中から出力し、認識文字情報データを音声データに変換する記憶認識制御部と、該記憶認識制御部から音声データが出力されて音声として発声再生する音声発生再生部とを内蔵した文字記憶認識発声装置とを備えた文字読み取り記憶認識発声装置システム。
【請求項２】
前記画像データ入力装置及び文字記憶認識発声装置を、コンパクトでポータブル的利便性がある一体化として構成したことを特徴とする請求項１に記載の文字読み取り記憶認識発声装置システム。
【請求項３】
前記画像データ入力装置及び文字記憶認識発声装置が無線で接続されることを特徴とする請求項１に記載の文字読み取り記憶認識発声装置システム。
【請求項４】
前記画像データ入力装置によって画像情報データを取得すると、リアルタイム即ち直読直発声方式で発声再生する、リアルタイム発声再生手段を有することを特徴とする請求項１乃至請求項３のいずれか一項に記載の文字読み取り記憶認識発声装置システム。
【請求項５】
前記文字記憶認識発声装置は、リアルタイム発声再生手段の他に、予め複数の文字画像情報データを記憶認識録音させた発声再生モードの中から、少なくとも一のモードを選択可能なモード選択手段、記録再生即ち記憶再生方式を有すること特徴とする請求項１乃至請求項４のいずれか一項に記載の文字読み取り記憶認識発声装置システム。
【請求項６】
前記文字記憶認識発声装置は、元の文字の語義と同義の文字に訳して発声再生する辞書手段を有すること特徴とする請求項１乃至請求項５のいずれか一項に記載の文字読み取り記憶認識発声装置システム。
【請求項７】
前記文字記憶認識発声装置は、外国語を日本語に翻訳して発声再生する翻訳手段を有することを特徴とする請求項１乃至請求項６のいずれか一項に記載の文字読み取り記憶認識発声装置システム。
【請求項８】
画像データ入力装置によって取得された画像情報データを記憶媒体に記憶して取りだすことができるデータ取出手段を有することを特徴とする請求項１乃至請求項７のいずれか一項に記載の文字読み取り記憶認識発声装置システム。
【請求項９】
前記音声発生再生部として、スピーカー、イヤーホン、及びヘッドホンの内、少なくとも一つ以上から構成されることを特徴とする請求項１乃至請求項８のいずれか一項に記載の文字読み取り記憶認識発声装置システム
【請求項１０】
前記画像データ入力装置をスティックタイプに構成し、両手又は右手若しくは左手の手で使用可能とすることを特徴とする請求項１乃至請求項９のいずれか一項に記載の文字読み取り記憶認識発声装置システム。
【請求項１１】
前記文字記憶認識発声装置に、別途走査型画像情報入力装置が接続されることを特徴とする請求項１乃至請求項１０のいずれか一項に記載の文字読み取り記憶認識発声装置システム。
【発明の詳細な説明】
【技術分野】
【０００１】
本発明は、近年の活字離れを解消する方法として、本・雑誌・新聞・印刷物・書き文字等を自動的に音声出力させる技術に関する。
【背景技術】
【０００２】
正常人の「読書」は、目で追って読んでいるが、目の疲れの根本的な原因となる。暗い場所・乗物の中・これら諸条件の悪い場所、長時間の読書、読書に諸条件の悪い場所は、人間の目を酷使し視力を低下させる要因となり「近視・乱視」の目の病の原因になる。全盲者・弱視者・目の不自由者な視覚身体障害者にとっては、点字なるものが存在する。
【０００３】
近年、本・雑誌・新聞・印刷物・書き文字の「数々の文字」を読み取ったり出力したりする技術が公知となっている。従来の特許願と、本発明に類似していない点を、下記８件内の４件の要点を説明する。
例えば、「音声発声システム」なるものが公知である（例えば特許文献１）。これは、パソコンシステムにより多種・多様な種類の音声を「辞書」の形として記憶させ、ユーザーの任意の種類の音声合成ができ、供給としては通信回線を通じて行うものである。
次に、「文字読み取り変換表示装置」なるものが公知である（例えば特許文献２）。これは、文字認識の手段として、文字の字形を光学的に読み出し、その結果を拡大表示して翻訳手段を使って音声情報を発生する変換表示装置にて行うものである。
次に、「電子テキスト読み上げ装置」なるものが公知である（例えば特許文献３）。これは、テキスト中から、空行と記号行に予め設定された制御コードに基づき、音声合成部を装備した読み上げ装置である。
次に、「音声読書機」なるものが公知である（例えば特許文献４）。これは、文書を画像情報として読み取るスキャー部と、このスキャナ部に読み取られた画像情報のうち活字を読み取る制御部から構成されスキャナ部を、本体としている。
【特許文献１】特開平０９−１７１３９６号公報
【特許文献２】特開２００２−３２９１６７号公報
【特許文献３】特開２００２−１３２２８２号公報
【特許文献４】特開２００２−１４９１７７号公報
【特許文献５】特開２００５−２４１７４４号公報
【特許文献６】特開２００２−３０４１９３号公報
【特許文献７】特開平１０−２７４９９８号公報
【特許文献８】特開平０９−０５４５７７号公報
【発明の開示】
【発明が解決しようとする課題】
【０００４】
しかし、従来の特許文献では、文字を読み取って画像情報データとして入力する手段と、音声として発声再生させる手段とを個別に備えた構成が開示されているが、そのような構成では、人が「読書」の際に装置を使用することができない。
このように、人が読書の際に装置を使用するために、文字を画像情報データとして入力しつつ、音声として発声再生するような装置が待望されている。現在、「携帯電話」も読書をする機能が有るが、これ等は「本の縮小版」で有り音声発声再生装置は無い。さらにいわゆる「電子本」も存在するが、これも液晶画面に文字が出てそれを読むことになる。
【０００５】
すなわち、本発明は、如何に労苦無くして「読書」をするかが最大なポイントを持つ、そのための装置システムを提供することを目的とする。
【課題を解決するための手段】
【０００６】
本発明の解決しようとする課題は以上の如くであり、次にこの課題を解決するための手段を説明する。
【０００７】
すなわち、請求項１においては、本・雑誌・新聞・印刷物・書き文字に記載された文字の上をなぞるか、滑らせて画像情報データを取得する画像データ入力装置と、前記画像データ入力装置によって取得された画像情報データに対応する認識文字情報データを予め記憶された文字情報データの中から出力し、認識文字情報データを音声データに変換する記憶認識制御部と、該記憶認識制御部から音声データが出力されて音声として発声再生する音声発生再生部とを内蔵した文字記憶認識発声装置とを備えたものである。
【０００８】
請求項２においては、前記画像データ入力装置及び文字記憶認識発声装置を一体化して構成したものである。
【０００９】
請求項３においては、前記画像データ入力装置及び文字記憶認識発声装置が無線で接続されるものである。
【００１０】
請求項４においては、前記画像データ入力装置によって画像情報データを取得すると、リアルタイムで発声再生するリアルタイム再生手段を有するものである。
【００１１】
請求項５においては、前記文字記憶認識発声装置は、予め設定された複数の発声再生モ
ードの中から、少なくとも一のモードを選択可能なモード選択手段を有するものである。
【００１２】
請求項６においては、前記文字記憶認識発声装置は、元の文字の語義と同義の文字に訳
して発声再生する辞書手段を有するものである。
【００１３】
請求項７においては、前記文字記憶認識発声装置は、外国語を日本語に翻訳して発声再生する翻訳手段を有するものである。
【００１４】
請求項８においては、画像データ入力装置によって取得された画像情報データを記憶媒体に記憶して取りだすことができるデータ取出手段を有するものである。記憶の媒体としては、ハードディスク(内蔵、外付け)・テープ・ＭＤ盤・ＣＤ盤・光ディスク、メモリーカード・ＳＤカード、ＸＤカード、ＵＳＢ対応フラッシュメモリー・スティック状の数々のメモリーのメディアが使用可能な構造とするものである。
【００１５】
請求項９においては、前記音声発生再生部として、スピーカー、イヤーホン、及びヘッドホンの内、少なくとも一つ以上から構成されるものである。
【００１６】
請求項１０においては、前記画像データ入力装置をスティックタイプに構成し、両手又は右手若しくは左手の片手で使用可能とするものである。
【００１７】
請求項１１においては、前記文字記憶認識発声装置に、別途走査型画像情報入力装置が接続されるものである。
【発明の効果】
【００１８】
本発明によって、正常人の「読書」の際に、目を保護し「近視・乱視」を予防できる。特に、全盲者・弱視者・目の不自由者な視覚身体障害者にとって点字が不要となる。また、本発明によって読書が楽になり、日本人のますますの読書文化も向上し、「読書離れ」を解消できる。さらに、日本に在住する他国・外国人の読書への興味が向上し、これからの日本経済や産業・文化に多大な貢献を果たす。
【発明を実施するための最良の形態】
【００１９】
次に、発明の実施の形態を説明する。
この発明「文字読み取り記憶認識発声装置システム」は、図１のブロック図に示す如く、有線と無線の機能を持った構成である。最大の特徴は、本体部１に文字記憶認識発声装置７の総てを内蔵させて軽量化にしたコンパクトでポータブルに富む利便性のある機能の「一体化 (図６有線、図８無線)」したものと、本体部１と文字記憶認識発声装置７を分離した構造・装置の「分離型(図２有線、図７無線)」からなる。文字画像データ入力装置１aは、本体部１若しくは文字記憶認識発声装置７に内蔵させる方法がある。図１は本発明の一実施例に係る文字読み取り記憶認識発声装置システムの機能ブロック図である。図２は文字読み取り記憶認識発声装置システムの全体的(有線)な構成を示した斜視図、図３は縦書きの文字に対する使用方法を示した図である。図４は横書きの文字に対する使用方法を示した図。図５は縦書きの文字に対する別の使用方法を示した図。図６は別実施例(一体化した有線タイプ)の文字読み取り記憶認識発声装置システムを表した斜視図。図７は別実施例(無線)の文字読み取り記憶認識発声装置システムを表した斜視図。図
８は別実施例(一体化)の文字読み取り記憶認識発声装置システムを表した斜視図である。
【００２０】
本実施例の文字読み取り記憶認識発声装置システムは、画像データ入力装置としての本体部１と、文字記憶認識発声装置７等(文字画像データ入力装置１aは、本体部１若しくは、文字記憶認識発声装置７に内蔵させる方法がある。)とで構成されている。具体的には、本体部１を本・雑誌・新聞・印刷物・書き文字の文字・文・文章の、縦文字・横文字の上をなぞるか滑らす、即ち、文字の上を当てて滑らせて画像情報データを読み込み取り込み、画像情報データに基づいて音声を音声発生する機能を有する文字読み取り記憶認識発声装置システムである。
【００２１】
図１及び図２に示すように、本体部１及び文字記憶認識発声装置７は、電源１２aから電源プラグ１２より電気供給され、本体部１と文字記憶認識発声装置７とが有線接続されている。ただし、文字読み取り記憶認識発声装置システムとしては、本体部１と文字記憶認識発声装置７とが一体化して構成されてもよく（図６参照）、また、それぞれが無線で接続（ワイヤレス接続）されてもよく（図７参照）。さらに、本体部１及び文字記憶認識発声装置７に充電式バッテリーが内蔵されて、電源からの電気供給を不要とするように構成してもよい（図７、図８参照）。文字画像データ入力装置１aは、本体部１若しくは文字記憶認識発声装置７に内蔵される構造とする。
【００２２】
本体部１は、ペンタイプ（棒状タイプ）に構成され、先端部２と電源プラグ１２とが設けられていて、文字画像データ入力装置１aは、本体部１若しくは文字記憶認識発声装置７に内蔵されているものがある。先端部２には、ＯＣＲや光学的なＣＣＤが設けられて、文字・文・文章等が画像情報データとして取り込まれる。また、先端部２は、読み込み取り込みがし易い様に、ある程度の角度をもたせる構造とし、小さい文字から約２０ポイントの文字程度を中心とする。なお、それ以上の文字の読み込む場合は、文字のサイズに合わせて本体部１の形状を適宜変更可能とされる。
【００２３】
文字記憶認識発声装置７は、文字画像データ入力装置１aが内蔵(本体部１に内蔵される構造もある)し、各セクションに分離され、それぞれの部分に記憶認識制御部７ａ、音声発生再生部７ｂ、記憶媒体部７ｃ、音量調整部７ｄ、速度調整部７ｅ、液晶パネル部７ｆ等が配置されている。このように、文字記憶認識発声装置７は、関係する機器・機能の全てが筐体に内蔵されている。例えば、液晶パネル部は、記憶認識したものを順次表示、各メモリーの使用範囲表示、現使用タイムや、時計表示等が、表示される機能とする。その他、停電対策、記憶認識装置の自動化等である。
【００２４】
記憶認識制御部７ａは、本体部１（一体化はそのまま）から、文字画像データ入力装置１aによって取得された画像情報データに対応する認識文字情報データを予め記憶された文字情報データの中から出力し、認識文字情報データを音声データに変換するようにＣＰＵ・各半導体等で構成されており、この記憶認識制御部７ａから音声データが音声発生再生部７ｂに出力される。
音声発生再生部７ｂは、文字記憶認識発声装置７に内蔵された重要機器であり、音声データに基づいて音声を発声再生する装置を具備している。音声発生再生部７ｂの機器としては、スピーカー・イヤーホン・ヘッドホン等の数々の再生・発声機能対応する装置が用
いられる。記憶媒体部７ｃは、文字記憶認識発声装置７に内蔵され、ハードディスクや外付けのハードディスクが使用される。また、テープ、ＭＤ盤・ＣＤ盤・光ディスクや、メ
モリーカード・ＳＤカード・ＸＤカード等の各カードや、ＵＳＢ対応の各フラッシュメモリーや、スティック状の数々のメモリーを使用することができる。その他に、パソコンシステムの機能を取り入れる手段もある。この記憶媒体部７ｃに、上述した文字画像データ入力装置１aから画像情報データを記憶して文字記憶認識発声装置７から外部に取りだすことができる。音量調整部７ｄ及び速度調整部７ｅは、各専門メーカーのパーツを用いることができる。液晶パネル部７ｆは、記憶認識制御部７ａによって出力された認識文字情報データが文字画像として順次表示される他、各メモリーの使用範囲表示、現使用タイム、及び時計表示等が表示される。なお、文字記憶認識発声装置７に設けられる機器は、これらに限定されない。
【００２５】
特に、本実施例では、文字記憶認識発声装置７において、本体部１から文字画像データ入力装置１aを経て画像情報データを取得すると、直ちに記憶認識制御部７ａにて音声データが音声発生再生部７ｂに出力され、音声発生再生部７ｂにてリアルタイムで音声として発声再生される（「リアルタイム再生モード」）ように構成されている。
【００２６】
また、文字記憶認識発声装置７では、予め設定された複数の発生再生パターンの中から、少なくとも一のパターンを選択可能とされており、具体的には、上述した「リアルタイム再生モード」の他に、画像情報データ又は音声データを一時的に記憶させて（例えば、記憶媒体部７ｃ）させて後でまとめて出力する「後再生モード」や、同じく一時的に記憶させた後に句読点の区切りことに出力する「句読点区切り再生モード」や、一行ずつ出力する「一行再生モード」や、一頁ごとに再生する「一頁再生モード」等数々の再生モードを選択することが可能に構成されている。
【００２７】
また、本実施例では、文字記憶認識発声装置７において、難解な言葉・漢字・述語等が入力された場合に、元の文字の語義と同義の文字を選定して訳して発生再生する辞書機能や、また、英語等の諸外国語の言葉を翻訳する翻訳機能が設けられている。
【００２８】
次に、文字読み取り記憶認識発声装置システムの実際の使用方法を説明する。
図３は、本３を対象に、縦書きの文字に対する使用方法を示したものである。このように、本体部１を一方の手４で把持しながら本３に記載された縦の文章に沿って先端部２を移動させ、すなわち本体部１（先端部２）を読む方向上から下方向、右から左方向に摺動させることで、画像情報データを取得することができる。また、図４は、図３とは異なり横書きの文字に対する使用方法を示している。
【００２９】
図５は、縦書きの文字に対する別の使用方法を示したものである。具体的には、文字列の横にスケール６を他方の手５（サウスポーは逆）で紙面方向に抑え付けて位置決めすることで、本体部１（先端部２）を読む方向上から下方向に摺動させる際に先端部２をスケール６に宛がうように使用することで、画像情報データを正確かつ容易に取得できる。特に、視覚身体障害者の人達が使用するのには最適であり、視覚身体障害者にとっては、かけがえのない機器となる。
【００３０】
なお、上述した実施例においは、本体部１（本体部１と文字記憶認識発声装置７と文字画像データ入力装置１aを一体化したもの）の形状は、図６に示す様にコンパクトでポータブル的利便性がある一体化の構成としたペンタイプ・スティックタイプ、数々の棒状タイプが適当であることが好まれる。両手又は右手若しくは左手の片手で使用可能なタイプとするのが好ましい。このような形状（タイプ）とすることで、全盲者、眼の不自由者・弱視者・視覚身体障害者や、特に手の不自由な身体障害者には、口にくわえたり、足ではさんだりすることができる。図６は、有線で接続するものを示している。図８は、無線（ワイヤレス）を示す。
【００３１】
また、その他の実施例として、文字記憶認識発声装置器７(文字画像データ入力装置１a内蔵)に、コピー・スキャナー（コンピューターの走査による画像情報入力装置。イメージ・スキャナー）等の走査型画像情報入力装置を接続し、ガラス面に乗せた原稿１頁全部と複数枚の入力可能。走査型画像情報入力装置を接続することで、走査型画像情報入力装置によって取得されたスキャン画像情報データを音声データに変換して、音声として発声再生させることができ、本体部１の他に文字の上を当てて滑らせる手間が省くことができる。
【００３２】
読み取る対象物としては、原則的に紙でなくても文字・文章であれば、紙類・プラスチック類等の印刷物・書き文字等の他に、ＩＴ関連のモニター等に表示された文字・文章であってもよい。
【産業上の利用可能性】
【００３３】
この発明によって、日本人の「読書」に対する考え方が、今までの唯単なる読書が、即ち目で読んで頭脳で理解するパターンが、この「文字読み取り記憶認識発声装置システム」によって、目で読まず装置・機能・機器を使うだけで「読書」が出来る。十人十色、人によっては、読んでいることにもなるが、この装置システムを使用するだけで、目で文字を追って読書することから開放され、目は文字を追うだけで、後は頭脳で理解すれば良い訳である。装置・機能・機器が「読書」をしてくれる訳である。そして、 最大のメリット・価値は、目が疲れていても「読書」は可能である。「目は口ほどに物を言い」のことわざ通り、これからは、この発明のシステムが、目の代役を担って大活躍をし「目を大切に」を重点に置き、人生楽しく末永く生きる目的の「文字読み取り記憶認識発声装置システム」にしたいものである。正常人達には優しく、視覚身体障害者の人達には嬉しい悲鳴と成る訳である。この発
明によって「読書の快楽」、そして「視覚身体障害者達」の方々が独自で読書ができるための環境と解決策を与えようとするものである。これからは、本発明によって、もたらす日本人の「読書への関心」は、ますます向上すること間違い無いものとなる。構成は、図６(有線)と図８(無線)の「一体化」と、図２(有線)と図７(無線)の本体部１と文字記憶認識発声装置７からなる「分離型」の四種類有るものから、適宜合ったものを使用して「読書」すれば良いことになる。 
「読書」は、目の疲れの根本的な原因となる。暗い場所・乗物の中・長時間の読書等、これら諸悪条件は、人間の目を酷使し視力を低下させる要因となり「近視・乱視」の目の病の原因になる。この「文字読み取り記憶認識発声装置システム」を使うことによって、目を保護し、読書嫌い・読書力の低下は改善される。又、乱読・無茶読み等は、改善されることは間違い無いと断言できる。判らない言葉や難しい言葉・漢字・述語も、この装置システムで、訳して喋って、録音・記憶、再生・発声してくれる機能を有する「辞書」として、又、英語諸外国の言葉を翻訳する翻訳機能を有する「翻訳器」として活用も出来る。
「読書」過程に於いて、文字読みの好きな人は勿論のこと、文字読みの好まない人には、この「文字読み取り記憶認識発声装置システム」を使用することによって、「人生バラ色」となり、学問や知識収集の道具として、無くてはならない存在となる。この発明により日本人はより以上の、知識人の集客として世界の頂点に起つであろうことが伺える。
「読書好き」にはこの上なく便利に、「読書嫌い」には、もってこいの「宝物」であり、これからは無くてはならない存在となり、生活の一部となること疑い無しである。
【図面の簡単な説明】
【００３４】
【図１】本発明の一実施例に係る文字読み取り記憶認識発声装置システムの機能ブロック図。
【図２】文字読み取り記憶認識発声装置システムの全体的(有線)な構成を示した斜視図。
【図３】縦書きの文字に対する使用方法を示した図。
【図４】横書きの文字に対する使用方法を示した図。
【図５】縦書きの文字に対する別の使用方法を示した図。
【図６】別実施例(一体化した有線タイプ)の文字読み取り記憶認識発声装置システムを表した斜視図。
【図７】別実施例(無線)の文字読み取り記憶認識発声装置システムを表した斜視図。
【図８】別実施例(一体化)の文字読み取り記憶認識発声装置システムを表した斜視図。
【符号の説明】
【００３５】
１    本体部
１a   文字画像データ入力装置
(本体部１に内蔵。若しくは文字記憶認識発声装置７に内蔵)
２    先端部
３    本
４    一方の手
５    他方の手
６    スケール
７    文字記憶認識発声装置（７ａ、７ｂ、７ｃ、７ｄ、７ｅ、７ｆと、その他数々の文字記憶認識発声装置に関係する機器・機能の全てを内蔵した装置器)
７ａ  記憶認識制御部
７ｂ  音声発生再生部
７ｃ  記憶媒体部
７ｄ  音量調整部
７ｅ  速度調整部
７ｆ  液晶パネル部
８    スピーカー音開放穴
９    イヤーホン・ヘッドホーンの数々の再声機能のジャツク
１０  液晶パネル表示部． 
１１  スイッチ(ＯＮ、ＯＦＦの数々)
１２  電源プラグ
１２a  電源  
１３  放熱穴 
１４  速度調整部、音量調整部等の数々の調整装置 
１５  記憶発声メディアの数々の差込口 
【図２】
2007128531.tif 000003
【図３】
2007128531.tif 000004
【図４】
2007128531.tif 000005
【図５】
2007128531.tif 000006
【図６】
2007128531.tif 000007
【図７】
2007128531.tif 000008
【図８】
2007128531.tif 000009
【図１】
2007128531.tif 000010
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
本・雑誌・新聞・印刷物・書き文字に記載された文字の上をペンタイプ・スティックタイプ、数々の棒状タイプ状でなぞるか、滑らせる方法を特徴とし文字を取得する本体部の先端部から、文字画像情報データを取得する画像データ入力装置と、前記画像データ入力装置によって取得された画像情報データに対応する認識文字情報データを予め記憶された文字情報データの中から出力し、認識文字情報データを音声データに変換する文字記憶認識制御部と、該文字記憶認識制御部から音声データが出力されて音声として発声再生する音声発声生部とを内蔵した文字記憶認識発声装置を備え、別途走査型画像情報入力装置、即ちコピー器やスキャナー器から取り込む、ガラス面に乗せた一頁の原稿と、次々と取り込んだ複数頁全部を、読み込み・取り込む機能を有し、これを接続させ再生発声来ることの機能を有し、又外国語を日本語に翻訳して発声再生する翻訳手段を有することを特徴とし、
前記画像データ入力装置は、画像情報データを取得すると、リアルタイム即ち直読直発声方式で再生発声する、リアルタイム再生発声手段と、画像データ入力装置によって取得された画像情報データを記憶媒体に記憶して取り出すことができるデータ取出手段を有することを特徴とし、予め複数の文字画像情報データを記憶認識録音させた再生発声モードの中から、即ち、保存した文字を、まとめて喋らす方法や、句読点の区切りや、一行ずつや、一頁や、と数々のパターンが、再生発声可能な方法とした構造で、時と場合に合わせ、色々なモードを選択可能なモード選択手段、記録再生発声即ち記憶再生発声方式を有することを特徴とするもので、前記音声発生再生部として、スピーカー、イヤーホン、及びヘッドホンの内、少なくとも一つ以上から構成されることを特徴とする、文字記憶認識発声装置が一体的に組み込まれたコンパクトでポータブル的利便性がある構成とされ、前記文字画像情報データを読み込み容易となり、読み取る対象物としては、原則的に紙でなくても文字・文章であれば、紙類・プラスチック類等の印刷物・書き文字等、の他に、ＩＴ関連のモニター等に表示された文字・文章であって、縦書き・横書きでもよい、この装置は、読書に主眼を置き、目を酷使し視力を低下させる要因の排除と、読書嫌い・正常者の目の保護・読書力の低下の改善を目的とし、それに加え全盲者、眼の不自由者・弱視者・視覚身体障害者方達や、両手又は右手若しくは左手の手で把持可能で、かつ口又は足で挟持可能な本体部と、その他、数々の文字記憶認識発声装置に関係する機器・機能の一部としては、停電対策、記憶認識装置の自動化等であることを特徴とする文字読み取り記憶認識発声装置システム。
【手続補正２】
【補正対象書類名】明細書
【補正対象項目名】０００７
【補正方法】変更
【補正の内容】
【０００７】
すなわち、請求項１においては、本・雑誌・新聞・印刷物・書き文字に記載された文字の上を、本体部の形状は、ペンタイプ・スティックタイプ、数々の棒状タイプが適当であることが好まれ、その先端部で、なぞるか、滑らせて文字画像情報データを取得する画
像データ入力装置と、前記画像データ入力装置によって取得された画像情報データに対応する認識文字情報データを予め記憶された文字情報データの中から出力し、認識文字情報データを音声データに変換する文字記憶認識制御部と、該文字記憶認識制御部から音声データが出力されて音声として発声再生する音声発生再生部とを内蔵した文字記憶認識発声装置を備え、前記画像データ入力装置は、文字記憶認識発声装置が組み込まれたコンパクトでポータブル的利便性がある構成とされ、先端が前記文字画像情報データを読み込み容易となるように傾斜形状に構成された先端部を有し、両手又は右手若しくは左手の手で把持可能で、かつ口又は足で挟持可能な本体部を有するものを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２においては、前記画像データ入力装置によって画像情報データを取得すると、リアルタイム即ち直読直発声方式で発声再生する、リアルタイム発声再生手段を有するものである。
【手続補正６】
【補正対象書類名】明細書
【補正対象項目名】００１１
【補正方法】変更
【補正の内容】
【００１１】
請求項３においては、前記文字記憶認識発声装置は、リアルタイム発声再生手段の他に、予め複数の文字画像情報データを記憶認識録音させた発声再生モードの中から、即ち、保存した文字を、まとめて喋らす方法や、句読点の区切りや、一行ずつや、一頁や、と数々のパターンが、再生可能な方法とした構造で、時と場合に合わせ、色々なモードを選択可能なモード選択手段、記録再生即ち記憶再生方式を有するものである。
【手続補正７】
【補正対象書類名】明細書
【補正対象項目名】００１２
【補正方法】変更
【補正の内容】
【００１２】
請求項４においては、前記文字記憶認識発声装置は、元の文字の語義と同義の文字に訳して発声再生する辞書手段を有するものである。
【手続補正８】
【補正対象書類名】明細書
【補正対象項目名】００１３
【補正方法】変更
【補正の内容】
【００１３】
請求項５においては、前記文字記憶認識発声装置は、外国語を日本語に翻訳して発声再生する翻訳手段を有するものである。
【手続補正９】
【補正対象書類名】明細書
【補正対象項目名】００１４
【補正方法】変更
【補正の内容】
【００１４】
請求項６においては、画像データ入力装置によって取得された画像情報データを記憶媒
体に記憶して取り出し再生発声することができるデータ取出手段を有するものである。記
憶の媒体としては、ハードディスク(内蔵、外付け)、テープ・ＭＤ盤・ＣＤ盤・ＤＶＤ盤・光ディスク、メモリーカード・ＳＤカード・ＸＤカード、ＵＳＢ対応フラッシュメモリー・スティック状の数々のメモリーのメディアが使用可能な構造とするものである。
【手続補正１０】
【補正対象書類名】明細書
【補正対象項目名】００１５
【補正方法】変更
【補正の内容】
【００１５】
請求項７においては、前記音声発生再生部として、スピーカー、イヤーホン、及びヘッドホンの内、少なくとも一つ以上から構成されるものである。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項９においては、前記文字記憶認識発声装置に、別途走査型画像情報入力装置、即ちコピー・スキャナー（コンピューターの走査による画像情報入力装置。イメージ・スキャナー）等の走査型画像情報入力装置を接続し、ガラス面に乗せた一頁の原稿と、次々と取り込んだ複数頁全部を、読み込み・取り込む機能を有し、これを接続させ再生発生出来ることを特徴とするものである。
【手続補正１３】
【補正対象書類名】明細書
【補正対象項目名】００２２
【補正方法】変更
【補正の内容】
【００２２】
本体部１は、ペンタイプ・スティックタイプ、数々の棒状タイプに構成され、先端部２と電源プラグ１２とが設けられていて、文字画像データ入力装置１aは、本体部１若しくは文字記憶認識発声装置７に内蔵されているものがある。先端部２には、ＯＣＲや光学的なＣＣＤが設けられて、文字・文・文章等が画像情報データとして取り込まれる。また、先端部２は、読み込み取り込みがし易い様に、ある程度の角度をもたせる構造とし、小さい文字から約２０ポイントの文字程度を中心とする。なお、それ以上の文字の読み込む場合は、文字のサイズに合わせて本体部１の形状を適宜変更可能とされる。
【手続補正１４】
【補正対象書類名】明細書
【補正対象項目名】００２４
【補正方法】変更
【補正の内容】
【００２４】
記憶認識制御部７ａは、本体部１から、文字画像データ入力装置１aによって取得され
た画像情報データに対応する認識文字情報データを予め記憶された文字情報データの中から出力し、認識文字情報データを音声データに変換するようにＣＰＵ・各半導体等で構成されており、この記憶認識制御部７ａから音声データが音声発生再生部７ｂに出力される。
音声発生再生部７ｂは、文字記憶認識発声装置７に内蔵された装置の重要機器であり、音声データに基づいて音声を発声再生する装置を具備している。音声発生再生部７ｂの機
器としては、スピーカー・イヤーホン・ヘッドホン等の数々の再生・発声機能対応する装置が用いられる。記憶媒体部７ｃは、文字記憶認識発声装置７に内蔵され、ハードディスクや外付けのハードディスクが使用される。また、テープ、ＭＤ盤・ＣＤ盤・ＤＶＤ盤・光ディスクや、メモリーカード・ＳＤカード・ＸＤカード等の各カードや、ＵＳＢ対応の各フラッシュメモリーや、スティック状の数々のメモリーを使用することができる。その他に、パソコンシステムの機能を取り入れる手段もある。この記憶媒体部７ｃに、上述した文字画像データ入力装置１aから画像情報データを記憶して文字記憶認識発声装置７から外部に取りだすことができる。音量調整部７ｄ及び速度調整部７ｅは、各専門メーカーのパーツを用いることができる。液晶パネル部７ｆは、記憶認識制御部７ａによって出力された認識文字情報データが文字画像として順次表示される他、各メモリーの使用範囲表示、現使用タイム、及び時計表示等が表示される。なお、文字記憶認識発声装置７に設けられる機器は、これらに限定されない。その他、数々の文字記憶認識発声装置に関係する機器・機能の一部としては、停電対策、記憶認識装置の自動化等である。